(57)【要約】【課題】受信信号内のセグメントの位置を検出することができる受信装置及び受信方法を提供することを課題とする。【解決手段】受信装置は、受信信号を時間領域から周波数領域に変換するフーリエ変換部（１０５）と、前記フーリエ変換部の出力信号内のｎ番目のシンボルの信号点のｎ−１番目のシンボルの信号点に対する位相差をキャリア毎に演算する位相差演算部（Ｂ１〜Ｂ１３）と、前記位相差演算部により演算された位相差を基に、パイロット信号のキャリアを特定し、複数キャリアを有するセグメントの位置を検出するセグメント位置検出部（７０１）とを有する。【選択図】図７
2015185934.tif 000002
【特許請求の範囲】
【請求項１】
受信信号を時間領域から周波数領域に変換するフーリエ変換部と、
前記フーリエ変換部の出力信号内のｎ番目のシンボルの信号点のｎ−１番目のシンボルの信号点に対する位相差をキャリア毎に演算する位相差演算部と、
前記位相差演算部により演算された位相差を基に、パイロット信号のキャリアを特定し、複数キャリアを有するセグメントの位置を検出するセグメント位置検出部と
を有することを特徴とする受信装置。
【請求項２】
前記位相差演算部は、相互に異なるセグメント帯域の信号毎に前記位相差を演算し、
前記セグメント位置検出部は、前記セグメント帯域毎に、パイロット信号のキャリアを特定し、前記セグメントの位置を検出することを特徴とする請求項１記載の受信装置。
【請求項３】
さらに、前記位相差演算部により演算された位相差を基に、パイロット信号のキャリアを特定し、セグメント帯域毎に、特定セグメントのパイロット信号のキャリアとの相関値を演算する相関演算部を有し、
前記セグメント位置検出部は、前記相関演算部の演算結果に応じて、特定セグメントの位置を検出することを特徴とする請求項２記載の受信装置。
【請求項４】
さらに、前記位相差演算部により演算された位相差を基に、パイロット信号のキャリアを特定し、セグメント帯域毎に、複数のセグメントのパイロット信号のキャリアとの相関値を演算する相関演算部を有し、
前記セグメント位置検出部は、前記相関演算部の演算結果に応じて、セグメント帯域毎に、セグメント番号を判定するセグメント番号判定部を有することを特徴とする請求項２記載の受信装置。
【請求項５】
前記フーリエ変換部は、前記セグメント位置検出部により検出されたセグメントの位置に応じて、出力範囲を変更することを特徴とする請求項１〜４のいずれか１項に記載の受信装置。
【請求項６】
さらに、受信信号のうちの指定チャンネルの信号を出力するチューナを有し、
前記フーリエ変換部は、前記チューナの出力信号を基に、時間領域から周波数領域に変換し、
前記チューナは、前記セグメント検出部により検出されたセグメントの位置に応じて、出力する周波数範囲をシフトすることを特徴とする請求項１〜５のいずれか１項に記載の受信装置。
【請求項７】
さらに、前記チューナの出力信号を直交復調する直交復調部を有し、
前記フーリエ変換部は、前記直交復調部の出力信号を時間領域から周波数領域に変換することを特徴とする請求項６記載の受信装置。
【請求項８】
さらに、無線信号を受信するアンテナを有し、
前記チューナは、前記アンテナを介して受信信号を入力することを特徴とする請求項６又は７記載の受信装置。
【請求項９】
さらに、前記チューナの出力信号をアナログからデジタルに変換し、デジタル信号を前記直交復調部に出力するアナログ／デジタル変換部を有することを特徴とする請求項７記載の受信装置。
【請求項１０】
フーリエ変換部により、受信信号を時間領域から周波数領域に変換し、
位相差演算部により、前記周波数領域の信号内のｎ番目のシンボルの信号点のｎ−１番目のシンボルの信号点に対する位相差をキャリア毎に演算し、
セグメント位置検出部により、前記演算された位相差を基に、パイロット信号のキャリアを特定し、複数キャリアを有するセグメントの位置を検出することを特徴とする受信方法。
【発明の詳細な説明】
【技術分野】
【０００１】
本発明は、受信装置及び受信方法に関する。
【背景技術】
【０００２】
ＯＦＤＭを使用するデジタル放送を受信するデジタル放送受信機が知られている（例えば、特許文献１参照）。フーリエ変換回路は、受信信号をフーリエ変換する。位相差計算部は、フーリエ変換回路により得られる複数のキャリア信号について位相情報を検出する。相関計算部は、位相差計算部により検出された位相情報と予め用意されている所定の位相情報との相関を表す相関値を計算する。判別部は、相関計算部により得られる相関値が予め決められている閾値よりも大きければ、ＯＦＤＭ信号が存在すると判断する。
【０００３】
また、デジタル放送送信機からのデータを受信するデジタル放送受信機が知られている（例えば、特許文献２参照）。送信側と受信側とで知られた予め決められたシーケンスである既知データが特定の位置に挿入されたデータを所定バイトのパリティを付加してエンコードする。そして、エンコードしたデータをインターリーブし、インターリーブされたデータが、同一位置の既知データバイトは予め決められた数のセグメント毎に一つのセグメント内で、所定長さ分連続して出力されるデータフォーマットを含む。インターリーブされたデータを２／３の比率で８レベルのシンボルにトレリスエンコードし、トレリスエンコードされたデータはデータストリームの１フィールドに６個の既知データシーケンスが現れるデータフォーマットを含む。トレリスエンコードされたデータにより残留側波帯方式変調されてデジタル放送送信機から送信される信号をチューナーが受信する。復調部は、チューナーで受信した信号を残留側波帯方式により復調する。等化部は、既知データに対応するトレリスエンコードされたシンボルによって、チャンネルのマルチパスによるチャンネル歪みを補って、復調部で復調された信号の相互干渉を除去する。
【先行技術文献】
【特許文献】
【０００４】
【特許文献１】特開２００７−３１８６３８号公報
【特許文献２】特開２０１０−８１６３３号公報
【発明の概要】
【発明が解決しようとする課題】
【０００５】
デジタル放送には、様々なセグメント配列がある。セグメント配列が異なる場合、今受信しようとする周波数帯域がどのようなセグメント配列で送信されているかの情報を取得できないと正しく受信できない。特に、携帯端末では、１セグ部分のみを取り出して受信する必要がある。しかし、セグメント配列は、様々な種類があるため、１セグ放送の検出には、１セグメントずつずらして受信してみたり、外部情報を基に判定するしかすべがない。
【０００６】
本発明の目的は、受信信号内のセグメントの位置を検出することができる受信装置及び受信方法を提供することである。
【課題を解決するための手段】
【０００７】
受信装置は、受信信号を時間領域から周波数領域に変換するフーリエ変換部と、前記フーリエ変換部の出力信号内のｎ番目のシンボルの信号点のｎ−１番目のシンボルの信号点に対する位相差をキャリア毎に演算する位相差演算部と、前記位相差演算部により演算された位相差を基に、パイロット信号のキャリアを特定し、複数キャリアを有するセグメントの位置を検出するセグメント位置検出部とを有する。
【発明の効果】
【０００８】
受信信号内のセグメントの位置を検出することができるので、所望のセグメントの信号を取得することができる。
【図面の簡単な説明】
【０００９】
【図１】図１は、第１の実施形態による受信装置の構成例を示す図である。
【図２】図２は、無線信号の周波数割り当てを示す図である。
【図３】図３（Ａ）〜（Ｄ）は、セグメント配列を示す図である。
【図４】図４（Ａ）〜（Ｄ）は、セグメント番号の配置例を示す図である。
【図５】図５（Ａ）〜（Ｃ）は、パイロット信号が配置されるキャリア番号を示す図である。
【図６】図６（Ａ）〜（Ｃ）は、パイロット信号及びデータ信号の信号点の配置を示す図である。
【図７】図７は、図１のセグメント位置検出部の構成例を示す図である。
【図８】図８は、第２の実施形態によるセグメント位置検出部の構成例を示す図である。
【図９】図９は、図８のセグメント位置検出部の処理方法を示すフローチャートである。
【発明を実施するための形態】
【００１０】
（第１の実施形態）
図１は、第１の実施形態による受信装置の構成例を示す図である。受信装置は、アンテナ１０１、チューナ１０２、アナログ／デジタル変換部１０３、直交復調部１０４、高速フーリエ変換（ＦＦＴ）部１０５、伝送路推定部１０６、伝送路等化部１０７、デマップ部１０８、デインターリーブ部１０９、誤り訂正部１１０及びセグメント位置検出部１１１を有する。
【００１１】
アンテナ１０１は、送信装置から直交周波数分割多重（ＯＦＤＭ）方式の無線信号を受信する。ＯＦＤＭ方式の信号は、所定時間間隔でシンボルの無線信号が送信される。各シンボルは、複数のキャリア（周波数）の信号を有する。各キャリアには、データ信号又は既知のパイロット信号が配置されている。
【００１２】
チューナ１０２は、アンテナ１０１を介して受信信号を入力し、その受信信号のうちの指定チャンネルの信号を出力する。アナログ／デジタル変換部１０３は、チューナ１０２の出力信号をアナログからデジタルに変換し、デジタル信号を直交復調部１０４に出力する。直交復調部１０４は、アナログ／デジタル変換部１０３の出力信号を直交復調し、相互に直交するＩ信号及びＱ信号（図６（Ａ）〜（Ｃ））を出力する。高速フーリエ変換部１０５は、フーリエ変換により、直交復調部１０４の出力信号を時間領域から周波数領域に変換する。
【００１３】
伝送路推定部１０６は、高速フーリエ変換部１０５の出力信号内のパイロット信号を基に、伝送路特性を推定する。伝送路等化部１０７は、推定された伝送路特性を基に、高速フーリエ変換部１０５の出力信号を等化処理することにより、受信信号を送信信号の状態に復元する。デマップ部１０８は、伝送路等化部１０７の出力信号をデマッピングし、データ値を出力する。デインターリーブ部１０９は、デマップ部１０８の出力信号に対して周波数デインターリーブを行い、周波数インタリーブを解く。誤り訂正部１１０は、デインターリーブ部１０９の出力信号に対して、誤り訂正を行い、トランスポートストリームＴＳを出力する。
【００１４】
セグメント位置検出部１１１は、高速フーリエ変換部１０５の出力信号内のセグメントの位置を検出し、出力セグメント指示信号Ａ１又は周波数シフト指示信号Ａ２を出力する。高速フーリエ変換部１０５は、出力セグメント指示信号Ａ１が示す位置のセグメントを出力する。これにより、高速フーリエ変換部１０５は、所望の１セグのみを出力することができる。チューナ１０２は、周波数シフト指示信号Ａ２に応じて、出力する周波数範囲をシフトする。これにより、チューナ１０２は、所望のチャンネルの適正な周波数範囲を出力することができる。
【００１５】
図２は、無線信号の周波数割り当てを示す図である。地上波デジタル放送では、２０１１年のアナログ停波以降、アナログ放送の空きスペースに、様々な用途のデジタル放送が割り当てられている。放送ＩＳＤＢ−Ｔは、現在放送中のＵＨＦ帯で実施されている一般家庭の地上デジタルのテレビジョン放送である。放送ＩＳＤＢ−Ｔｍｍは、２０１２年４月から本放送が始まったＶＨＦ−Ｈ帯でのマルチメディア放送である。放送ＩＳＤＢ−Ｔｓｂは、２０１４年以降の放送が検討されているＵＨＦ−Ｌ帯でのデジタルラジオ放送である。また、放送ＩＳＤＢ−Ｔ内の空きチャンネル（ホワイトスペース）では、エリア放送など様々な放送が検討されている。上記の放送の基本規格は、すべて、放送ＩＳＤＢ−Ｔがベースにされている。しかし、上記の放送は、受信セグメント数やセグメント配列などが異なるため、放送帯域毎に別の受信装置を用いたり、再選局を実施し、それに最適な受信にし直さないといけないのが現状である。放送ＩＳＤＢ−Ｔ、ＩＳＤＢ−Ｔｍｍ、ＩＳＤＢ−Ｔｓｂ、及びエリア放送は、それぞれ、図３（Ａ）〜（Ｄ）の通り、セグメント配列が異なる。図３（Ａ）〜（Ｄ）の横軸は、キャリア（周波数）を示す。
【００１６】
図３（Ａ）は、放送ＩＳＤＢ−Ｔ（ＵＨＦ帯）のセグメント配列を示す図である。ＵＨＦ帯の放送ＩＳＤＢ−Ｔでは、１チャンネル当たり６ＭＨｚ帯域の周波数帯を１４等分（１４セグメント）して、５．６ＭＨｚ帯域の１３セグメントのシンボルが送信される。１３セグメントのシンボルは、移動受信向けに１セグメント（ワンセグ）が中心に配置され、固定受信向けに残りの１２セグメント（フルセグ）が両側に配置される。中心の１セグメント（ワンセグ）は、携帯端末向けのテレビジョン放送である。両側の１２セグメント（フルセグ）は、一般家庭のテレビ受像機向けのテレビジョン放送である。
【００１７】
図３（Ｂ）は、放送ＩＳＤＢ−Ｔｍｍ（ＶＨＦ−Ｈ帯）のセグメント配列を示す図である。ＶＨＦ−Ｈ帯の放送ＩＳＤＢ−Ｔｍｍでは、２０７．５ＭＨｚ〜２２２．０ＭＨｚの１４．５ＭＨｚ帯の３３セグメント（約１４．２ＭＨｚ）がシンボルとして送信される。３３セグメントは、図３（Ａ）の放送ＩＳＤＢ−Ｔの１３セグメント放送の２番組分と、１セグメント放送の７番組分の計９番組が配置される。
【００１８】
図３（Ｃ）は、放送ＩＳＤＢ−Ｔｓｂ（ＶＨＦ−Ｌ帯）のセグメント配列を示す図である。ＶＨＦ−Ｌ帯の放送ＩＳＤＢ−Ｔｓｂでは、９０ＭＨｚ〜１０８ＭＨｚの１８ＭＨｚ帯で３セグメント（１．３ＭＨｚ帯域）又は１セグメントの任意の組み合わせが放送される。
【００１９】
図３（Ｄ）は、エリア放送（ＵＨＦ帯）のセグメント配列を示す図である。ＵＨＦ帯のエリア放送では、図３（Ａ）の１３セグメント放送、又は１セグ放送の１３個分が配置される予定である。
【００２０】
以上の通り、デジタル放送には、様々なセグメント配列があり、放送ＩＳＤＢ−Ｔ、ＩＳＤＢ−Ｔｍｍ、ＩＳＤＢ−Ｔｓｂ、エリア放送は、それぞれ、セグメント配列が異なる。セグメント配列が異なる場合、今受信しようとする周波数帯域がどのようなセグメント配列で送信されているかの情報を取得できないと正しく受信できない。特に、携帯端末では、１セグ部分のみを取り出して受信する必要がある。しかし、セグメント配列は、様々な種類があるため、１セグ放送の検出には、１セグメントずつずらして受信してみたり、外部情報を基に判定するしかすべがない。
【００２１】
また、ＶＨＦ−Ｌ帯とＶＨＦ−Ｈ帯とＵＨＦ帯は分かれているので、帯域別に設定して受信することで対処する方法が考えられるが、図３（Ｄ）のエリア放送は、既存のＵＨＦ帯で放送し、かつ従来のＵＨＦ帯の放送と異なり、中心にワンセグ放送が無い１セグメント×１３配列の放送も計画されているため、既存の受信装置では適正な受信ができない。
【００２２】
図４（Ａ）〜（Ｄ）は、セグメント番号の配置例を示す図である。図４（Ａ）は、図３（Ａ）の１３セグメント配列のセグメント番号を示す図である。１３セグメント配列では、低周波数側から１１番，９番，７番，５番，３番，１番，０番，２番，４番，６番，８番，１０番，１２番の順番でセグメントが配置される。０番の１セグメントは、ワンセグ放送である。１番〜１２番の１２セグメントは、フルセグ放送である。
【００２３】
図４（Ｂ）は、図３（Ｃ）の３セグメント配列のセグメント番号を示す図である。３セグメント配列では、低周波数側から１番，０番，２番の順番でセグメントが配置される。
【００２４】
図４（Ｃ）は、図３（Ｂ）〜（Ｄ）の１セグメント配列のセグメント番号を示す図である。１セグメント配列では、０番のセグメントが配置される。
【００２５】
図４（Ｄ）は、図１の高速フーリエ変換部１０５が出力する１３個のセグメントの例を示す図である。１３個のセグメントは、低周波数側から０番，０番，１番，０番，２番，１番，０番，２番，１１番，９番，７番，５番，３番の順番でセグメントが配置されている。この場合、低周波数側から１セグメント配列、１セグメント配列、３セグメント配列、３セグメント配列、１３セグメント配列のうちの低周波数側の５セグメントが配置されている。図１のセグメント位置検出部１１１は、セグメント番号を検出し、出力セグメント指示信号Ａ１又は周波数シフト指示信号Ａ２を出力する。これにより、１３セグメント配列の一部が欠けているので、周波数シフト指示信号Ａ２により、周波数をずらして受信させ、１３セグメント配列を受信可能にすることができる。また、低周波数側に１セグメントが２番組分配置されているので、出力セグメント指示信号Ａ１により、これらのうちの所望の１セグメントのみを受信することができる。以下、その詳細を説明する。
【００２６】
図５（Ａ）〜（Ｃ）は、放送ＩＳＤＢ−Ｔのパイロット信号ＡＣ及びＴＭＣＣが配置されるキャリア番号を示す図である。図５（Ａ）は、モード１であり、各セグメントが１０８個のキャリア（４ｋＨｚ単位）を有する場合のパイロット信号を示す。図５（Ｂ）は、モード２であり、各セグメントが２１６個のキャリア（２ｋＨｚ単位）を有する場合のパイロット信号を示す。図５（Ｃ）は、モード３であり、各セグメントが４３２個のキャリア（１ｋＨｚ単位）を有する場合のパイロット信号を示す。モードに応じて、既知のパイロット信号ＡＣ及びパイロット信号ＴＭＣＣは、配置されるキャリア番号がセグメント番号毎に決まっている。
【００２７】
例えば、図５（Ａ）のモード１の場合、セグメント番号が０のセグメントでは、パイロット信号ＡＣ１＿１は３５番のキャリアに配置され、パイロット信号ＡＣ１＿２は７９番のキャリアに配置され、パイロット信号ＴＭＣＣ＿１は４９番のキャリアに配置される。また、セグメント番号が１のセグメントでは、パイロット信号ＡＣ１＿１は７４番のキャリアに配置され、パイロット信号ＡＣ１＿２は１００番のキャリアに配置され、パイロット信号ＴＭＣＣ＿１は４７番のキャリアに配置される。他のセグメント番号のセグメントでも、パイロット信号ＡＣ１＿１、ＡＣ１＿２及びＴＭＣＣ＿１が配置されるキャリア番号は、図５（Ａ）のように決まっている。図５（Ｂ）のモード２及び図５（Ｃ）のモード３の場合も、図５（Ａ）のモード１の場合と同様に、パイロット信号ＡＣ及びＴＭＣＣが配置されるキャリア番号は決まっている。また、放送ＩＳＤＢ−Ｔｓｂ、ＩＳＤＢ−Ｔｍｍ及びエリア放送のパイロット信号ＡＣ及びＴＭＣＣも、図５（Ａ）〜（Ｃ）と同じである。各キャリアには、パイロット信号又はデータ信号が配置される。したがって、パイロット信号が配置されるキャリア以外のキャリアには、データ信号が配置されている。
【００２８】
図６（Ａ）は、パイロット信号ＡＣ及びＴＭＣＣの信号点の配置を示す図である。パイロット信号ＡＣ及びＴＭＣＣは、送信装置のＤＢＰＳＫ（差動バイナリ位相シフトキーイング）変調により、２個の信号点のうちのいずれかの１個の信号点に変調されている。
【００２９】
図６（Ｂ）は、図４（Ａ）のセグメント番号が０のセグメントのデータ信号の信号点の配置を示す図である。このデータ信号は、送信装置のＱＰＳＫ（４位相シフトキーイング）変調により、４個の信号点のうちのいずれかの１個の信号点に変調されている。
【００３０】
図６（Ｃ）は、図４（Ｃ）のセグメントのデータ信号の信号点の配置を示す図である。このデータ信号は、送信装置の１６ＱＡＭ（直角位相振幅変調）により、１６個の信号点のうちのいずれかの１個の信号点に変調されている。
【００３１】
また、図４（Ａ）のセグメント番号が１〜１２のセグメントのデータ信号は、送信装置の６４ＱＡＭ（直角位相振幅変調）により、６４個の信号点のうちのいずれかの１個の信号点に変調されている。
【００３２】
以上のように、パイロット信号ＡＣ及びＴＭＣＣは、図６（Ａ）のように、２個の信号点のうちのいずれかの１個の信号点に変調されている。また、データ信号は、図６（Ｂ）及び（Ｃ）等のように、４個以上の信号点のうちのいずれかの１個の信号点に変調されている。
【００３３】
図７は、図１のセグメント位置検出部１１１の構成例を示す図である。セグメント位置検出部１１１は、セグメント番号が０のセグメントの位置を検出することができる。受信装置は、所定時間間隔でシンボルを受信する。高速フーリエ変換部１０５は、シンボル内の１３セグメント分の信号を出力する。ここでは、図５（Ｃ）のモード３の例を説明する。
【００３４】
位相差演算部Ｂ１は、高速フーリエ変換部１０５の出力信号のうちの低周波数側から１番目のセグメント（０番目〜４３１番目のキャリア）を入力し、０番目〜４３１番目のキャリアの各々について、今回（ｎ番目）のシンボルの信号点の前回（ｎ−１番目）のシンボルの信号点に対する位相差をキャリア毎に演算する。ｎは、０以上の整数である。１番目のセグメント（０番目〜４３１番目のキャリア）は、図４（Ａ）の場合、セグメント番号が１１のセグメントに対応する。パイロット信号ＡＣ及びＴＭＣＣでは、図６（Ａ）のように、２値信号であるので、上記の位相差は、０度又は１８０度になる。図６（Ｂ）のデータ信号では、４値信号であるので、上記の位相差は、０度、９０度、１８０度又は２７０度になる。図６（Ｃ）の場合も同様である。位相差演算部Ｂ１は、上記の位相差と０度との差分の絶対値又は上記の位相差と１８０度との差分の絶対値が閾値未満の場合には１を出力し、閾値以上の場合には０を出力する。位相差演算部Ｂ１の出力値は、パイロット信号ＡＣ及びＴＭＣＣのキャリア番号では１になる確率が高く、データ信号のキャリア番号では１になる確率が低い。
【００３５】
相関演算部Ｃ１は、位相差演算部Ｂ１の出力信号とパイロット信号配列情報ＢＢ１との相関値を演算する。パイロット信号配列情報ＢＢ１は、図５（Ｃ）のセグメント番号が０のセグメントにおいて、パイロット信号ＡＣ及びＴＭＣＣが配置されているキャリア番号のキャリアでは１であり、それ以外のキャリア番号のキャリアでは０である。例えば、パイロット信号配列情報ＢＢ１は、７番、８９番、２０６番、２０９番、２２６番、２４４番、３７７番、４０７番、１０１番、１３１番、２８６番、３４９番のキャリアでは１であり、それ以外のキャリアでは０である。したがって、位相差演算部Ｂ１が入力したセグメントのセグメント番号が０である場合には、相関演算部Ｃ１が出力する相関値は高くなる。これに対し、位相差演算部Ｂ１が入力したセグメントのセグメント番号が０以外である場合には、相関演算部Ｃ１が出力する相関値は低くなる。
【００３６】
この際、相関演算部Ｃ１は、周波数ずれによるキャリアずれを加味し、パイロット信号配列情報ＢＢ１を１キャリアずつシフトしながら、位相差演算部Ｂ１の出力信号とパイロット信号配列情報ＢＢ１との相関値を演算し、その中で最大の相関値を出力する。
【００３７】
相関蓄積部Ｄ１は、相関演算部Ｃ１が出力する相関値を蓄積する。相関位置判定部Ｅ１は、相関蓄積部Ｄ１に蓄積されている相関値が相関閾値ＤＤ以上である場合には、位相差演算部Ｂ１が入力したセグメントのセグメント番号が０であると判定して１を出力する。これに対し、相関位置判定部Ｅ１は、相関蓄積部Ｄ１に蓄積されている相関値が相関閾値ＤＤ未満である場合には、位相差演算部Ｂ１が入力したセグメントのセグメント番号が０ではないと判定して０を出力する。
【００３８】
上記と同様に、位相差演算部Ｂ２は、高速フーリエ変換部１０５の出力信号のうちの低周波数側から２番目のセグメント（４３２番目〜８６３番目のキャリア）を入力し、４３２番目〜８６３番目のキャリアの各々について、今回（ｎ番目）のシンボルの信号点の前回（ｎ−１番目）のシンボルの信号点に対する位相差をキャリア毎に演算する。２番目のセグメント（４３２番目〜８６３番目のキャリア）は、図４（Ａ）の場合、セグメント番号が９のセグメントに対応する。相関演算部Ｃ２は、位相差演算部Ｂ２の出力信号とパイロット信号配列情報ＢＢ１との相関値を演算する。相関蓄積部Ｄ２は、相関演算部Ｃ２が出力する相関値を蓄積する。相関位置判定部Ｅ２は、相関蓄積部Ｄ２に蓄積されている相関値が相関閾値ＤＤ以上である場合には、位相差演算部Ｂ２が入力したセグメントのセグメント番号が０であると判定して１を出力する。これに対し、相関位置判定部Ｅ２は、相関蓄積部Ｄ２に蓄積されている相関値が相関閾値ＤＤ未満である場合には、位相差演算部Ｂ２が入力したセグメントのセグメント番号が０ではないと判定して０を出力する。
【００３９】
また、位相差演算部Ｂ３は、高速フーリエ変換部１０５の出力信号のうちの低周波数側から３番目のセグメント（８６４番目〜１２９５番目のキャリア）を入力し、８６４番目〜１２９５番目のキャリアの各々について、今回（ｎ番目）のシンボルの信号点の前回（ｎ−１番目）のシンボルの信号点に対する位相差をキャリア毎に演算する。３番目のセグメント（８６４番目〜１２９５番目のキャリア）は、図４（Ａ）の場合、セグメント番号が７のセグメントに対応する。相関演算部Ｃ３は、位相差演算部Ｂ３の出力信号とパイロット信号配列情報ＢＢ１との相関値を演算する。相関蓄積部Ｄ３は、相関演算部Ｃ３が出力する相関値を蓄積する。相関位置判定部Ｅ３は、相関蓄積部Ｄ３に蓄積されている相関値が相関閾値ＤＤ以上である場合には、位相差演算部Ｂ３が入力したセグメントのセグメント番号が０であると判定して１を出力する。これに対し、相関位置判定部Ｅ３は、相関蓄積部Ｄ３に蓄積されている相関値が相関閾値ＤＤ未満である場合には、位相差演算部Ｂ３が入力したセグメントのセグメント番号が０ではないと判定して０を出力する。
【００４０】
また、位相差演算部Ｂ１３は、高速フーリエ変換部１０５の出力信号のうちの低周波数側から１３番目のセグメント（５１８４番目〜５６１５番目のキャリア）を入力し、５１８４番目〜５６１５番目のキャリアの各々について、今回（ｎ番目）のシンボルの信号点の前回（ｎ−１番目）のシンボルの信号点に対する位相差をキャリア毎に演算する。１３番目のセグメント（５１８４番目〜５６１５番目のキャリア）は、図４（Ａ）の場合、セグメント番号が１２のセグメントに対応する。相関演算部Ｃ１３は、位相差演算部Ｂ１３の出力信号とパイロット信号配列情報ＢＢ１との相関値を演算する。相関蓄積部Ｄ１３は、相関演算部Ｃ１３が出力する相関値を蓄積する。相関位置判定部Ｅ１３は、相関蓄積部Ｄ１３に蓄積されている相関値が相関閾値ＤＤ以上である場合には、位相差演算部Ｂ１３が入力したセグメントのセグメント番号が０であると判定して１を出力する。これに対し、相関位置判定部Ｅ１３は、相関蓄積部Ｄ１３に蓄積されている相関値が相関閾値ＤＤ未満である場合には、位相差演算部Ｂ１３が入力したセグメントのセグメント番号が０ではないと判定して０を出力する。
【００４１】
以上のように、位相差演算部Ｂ１〜Ｂ１３は、それぞれ、高速フーリエ変換部１０５の出力信号のうちの低周波数側から１番目〜１３番目のセグメントを入力し、入力セグメント内のキャリアの各々について、今回（ｎ番目）のシンボルの信号点の前回（ｎ−１番目）のシンボルの信号点に対する位相差をキャリア毎に演算する。相関演算部Ｃ１〜Ｃ１３は、それぞれ、位相差演算部Ｂ１〜Ｂ１３の出力信号とパイロット信号配列情報ＢＢ１との相関値を演算する。相関蓄積部Ｄ１〜Ｄ１３は、それぞれ、相関演算部Ｃ１〜Ｃ１３が出力する相関値を蓄積する。相関位置判定部Ｅ１〜Ｅ１３は、それぞれ、相関蓄積部Ｄ１〜Ｄ１３に蓄積されている相関値が相関閾値ＤＤ以上である場合には、位相差演算部Ｂ１〜Ｂ１３が入力したセグメントのセグメント番号が０であると判定して１を出力する。これに対し、相関位置判定部Ｅ１〜Ｅ１３は、それぞれ、相関蓄積部Ｄ１〜Ｄ１３に蓄積されている相関値が相関閾値ＤＤ未満である場合には、位相差演算部Ｂ１〜Ｂ１３が入力したセグメントのセグメント番号が０ではないと判定して０を出力する。
【００４２】
セグメント位置検出部７０１は、相関位置判定部Ｅ１〜Ｅ１３の出力信号を基に、出力セグメント指示信号Ａ１及び／又は周波数シフト指示信号Ａ２を出力する。例えば、セグメント位置検出部７０１は、セグメント番号が０のセグメントが中心に配置されるように、周波数シフト指示信号Ａ２を出力する。チューナ１０２は、周波数シフト指示信号Ａ２に応じて、セグメント番号が０のセグメントが中心に配置されるように、出力する周波数範囲をシフトする。これにより、高速フーリエ変換部１０５は、図４（Ａ）の１３セグメント配列を出力することができ、フルセグの視聴が可能になる。
【００４３】
また、セグメント位置検出部７０１は、セグメント番号が０のセグメントのみを出力するように、出力セグメント指示信号Ａ１を出力する。高速フーリエ変換部１０５は、出力セグメント指示信号Ａ１が示す位置のセグメントを出力することができ、ワンセグの視聴が可能になる。
【００４４】
（第２の実施形態）
図８は、第２の実施形態によるセグメント位置検出部１１１の構成例を示す図である。以下、本実施形態（図８）が第１の実施形態（図７）と異なる点を説明する。パイロット信号配列情報ＢＢ２は、図７のパイロット信号配列情報ＢＢ１の代わりに使用される。パイロット信号配列情報ＢＢ２は、図５（Ｃ）のセグメント番号が０〜１２の各セグメント毎に、パイロット信号ＡＣ及びＴＭＣＣが配置されているキャリア番号のキャリアでは１であり、それ以外のキャリア番号のキャリアでは０である。相関演算部Ｃ１〜Ｃ１３は、それぞれ、位相差演算部Ｂ１〜Ｂ１３の出力信号と０番〜１２番の各セグメントのパイロット信号配列情報ＢＢ２との相関値を演算し、その中で最大の相関値とその最大の相関値のセグメント番号を出力する。例えば、相関演算部Ｂ１は、位相差演算部Ｂ１の出力信号と０番〜１２番の各セグメントのパイロット信号配列情報ＢＢ２との相関値を演算し、位相差演算部Ｂ１の出力信号と１１番のセグメントのパイロット信号配列情報との相関値が最も大きい場合には、その最大の相関値及び１１番のセグメント番号を相関蓄積部Ｄ１に出力する。相関蓄積部Ｄ１〜Ｄ１３は、それぞれ、相関演算部Ｃ１〜Ｃ１３が出力する相関値及びセグメント番号を蓄積する。セグメント番号判定部Ｆ１〜Ｆ１３は、図７の相関位置判定部Ｅ１〜Ｅ１３の代わりに設けられる。セグメント番号判定部Ｆ１〜Ｆ１３は、それぞれ、相関蓄積部Ｄ１〜Ｄ１３に蓄積されている相関値が相関閾値ＤＤ以上である場合には、位相差演算部Ｂ１〜Ｂ１３が入力したセグメントが相関蓄積部Ｄ１〜Ｄ１３に蓄積されているセグメント番号のセグメントであると判定し、「１」の判定結果及びセグメント番号を出力する。これに対し、セグメント番号判定部Ｆ１〜Ｆ１３は、それぞれ、相関蓄積部Ｄ１〜Ｄ１３に蓄積されている相関値が相関閾値ＤＤ未満である場合には、位相差演算部Ｂ１〜Ｂ１３が入力したセグメントのセグメント番号が不明であると判定して「０」の判定結果を出力する。セグメント位置検出部８０１は、図７のセグメント位置検出部７０１の代わりに設けられ、セグメント番号判定部Ｆ１〜Ｆ１３の出力信号を基に、第１の実施形態と同様に、出力セグメント指示信号Ａ１及び／又は周波数シフト指示信号Ａ２を出力する。本実施形態によれば、高速フーリエ変換部１０５が出力する１３個のセグメントの各々のセグメント番号を検出することができる。
【００４５】
図９は、図８のセグメント位置検出部１１１の処理方法を示すフローチャートである。ステップＳ９０１では、高速フーリエ変換部１０５は、フーリエ変換し、１３個のセグメントの信号を出力する。その後、１３個のステップＳ９０２Ａ，Ｓ９０２Ｂ〜Ｓ９０２Ｌ，Ｓ９０２Ｍの処理が並列に行われる。
【００４６】
ステップＳ９０２Ａでは、位相差演算部Ｂ１は、高速フーリエ変換部１０５の出力信号のうちの低周波数側から１番目のセグメント（図４（Ａ）の１１番のセグメント位置のセグメント）を入力（抽出）する。
【００４７】
次に、ステップＳ９０３Ａでは、位相差演算部Ｂ１は、入力セグメント内のキャリアの各々について、今回（ｎ番目）のシンボルの信号点の前回（ｎ−１番目）のシンボルの信号点に対する位相差をキャリア毎に演算する。
【００４８】
次に、ステップＳ９０４Ａでは、相関演算部Ｃ１は、位相差演算部Ｂ１の出力信号とｎ番（ｎの初期値は０）のセグメントのパイロット信号配列情報ＢＢ２との相関値を演算する。その後、相関演算部Ｃ１は、ｎの値をインクリメントし、ステップＳ９０４Ａの処理を繰り返し、ｎの値が０〜１２の処理が終わると、ステップＳ９０５Ａに進む。
【００４９】
ステップＳ９０５Ａでは、相関演算部Ｃ１は、ｎの値が０〜１２の相関値の中で最大の相関値とその最大の相関値のセグメント番号Ａを相関蓄積部Ｄ１に出力する。
【００５０】
次に、ステップＳ９０６Ａでは、セグメント番号判定部Ｆ１は、相関蓄積部Ｄ１に蓄積されている相関値が相関閾値ＤＤ以上である場合には、ステップＳ９０７Ａに進み、相関蓄積部Ｄ１に蓄積されている相関値が相関閾値ＤＤ未満である場合には、ステップＳ９０８Ａに進む。
【００５１】
ステップＳ９０７Ａでは、セグメント番号判定部Ｆ１は、位相差演算部Ｂ１が入力したセグメントが相関蓄積部Ｄ１に蓄積されているセグメント番号Ａのセグメントであると判定し、「１」の判定結果及びセグメント番号Ａをセグメント位置検出部８０１に出力する。その後、ステップＳ９０９に進む。
【００５２】
ステップＳ９０８Ａでは、セグメント番号判定部Ｆ１は、位相差演算部Ｂ１が入力したセグメントのセグメント番号が不明であると判定して「０」の判定結果をセグメント位置検出部８０１に出力する。その後、ステップＳ９０９に進む。
【００５３】
同様に、ステップＳ９０２Ｂでは、位相差演算部Ｂ２は、高速フーリエ変換部１０５の出力信号のうちの低周波数側から２番目のセグメント（図４（Ａ）の９番のセグメント位置のセグメント）を入力（抽出）する。
【００５４】
次に、ステップＳ９０３Ｂでは、位相差演算部Ｂ２は、入力セグメント内のキャリアの各々について、今回（ｎ番目）のシンボルの信号点の前回（ｎ−１番目）のシンボルの信号点に対する位相差をキャリア毎に演算する。
【００５５】
次に、ステップＳ９０４Ｂでは、相関演算部Ｃ２は、位相差演算部Ｂ２の出力信号とｎ番（ｎの初期値は０）のセグメントのパイロット信号配列情報ＢＢ２との相関値を演算する。その後、相関演算部Ｃ２は、ｎの値をインクリメントし、ステップＳ９０４Ｂの処理を繰り返し、ｎの値が０〜１２の処理が終わると、ステップＳ９０５Ｂに進む。
【００５６】
ステップＳ９０５Ｂでは、相関演算部Ｃ２は、ｎの値が０〜１２の相関値の中で最大の相関値とその最大の相関値のセグメント番号Ｂを相関蓄積部Ｄ２に出力する。
【００５７】
次に、ステップＳ９０６Ｂでは、セグメント番号判定部Ｆ２は、相関蓄積部Ｄ２に蓄積されている相関値が相関閾値ＤＤ以上である場合には、ステップＳ９０７Ｂに進み、相関蓄積部Ｄ２に蓄積されている相関値が相関閾値ＤＤ未満である場合には、ステップＳ９０８Ｂに進む。
【００５８】
ステップＳ９０７Ｂでは、セグメント番号判定部Ｆ２は、位相差演算部Ｂ２が入力したセグメントが相関蓄積部Ｄ２に蓄積されているセグメント番号Ｂのセグメントであると判定し、「１」の判定結果及びセグメント番号Ｂをセグメント位置検出部８０１に出力する。その後、ステップＳ９０９に進む。
【００５９】
ステップＳ９０８Ｂでは、セグメント番号判定部Ｆ２は、位相差演算部Ｂ２が入力したセグメントのセグメント番号が不明であると判定して「０」の判定結果をセグメント位置検出部８０１に出力する。その後、ステップＳ９０９に進む。
【００６０】
位相差演算部Ｂ３〜Ｂ１１は、位相差演算部Ｂ１及びＢ２と同様の処理を行う。相関演算部Ｃ１〜Ｃ１１は、相関演算部Ｃ１及びＣ２と同様の処理を行う。相関蓄積部Ｄ３〜Ｄ１１は、相関蓄積部Ｄ１及びＤ２と同様の処理を行う。セグメント番号判定部Ｆ３〜Ｆ１１は、セグメント番号判定部Ｆ１及びＦ２と同様の処理を行う。
【００６１】
同様に、ステップＳ９０２Ｌでは、位相差演算部Ｂ１２は、高速フーリエ変換部１０５の出力信号のうちの低周波数側から１２番目のセグメント（図４（Ａ）の１０番のセグメント位置のセグメント）を入力（抽出）する。
【００６２】
次に、ステップＳ９０３Ｌでは、位相差演算部Ｂ１２は、入力セグメント内のキャリアの各々について、今回（ｎ番目）のシンボルの信号点の前回（ｎ−１番目）のシンボルの信号点に対する位相差をキャリア毎に演算する。
【００６３】
次に、ステップＳ９０４Ｌでは、相関演算部Ｃ１２は、位相差演算部Ｂ１２の出力信号とｎ番（ｎの初期値は０）のセグメントのパイロット信号配列情報ＢＢ２との相関値を演算する。その後、相関演算部Ｃ１２は、ｎの値をインクリメントし、ステップＳ９０４Ｌの処理を繰り返し、ｎの値が０〜１２の処理が終わると、ステップＳ９０５Ｌに進む。
【００６４】
ステップＳ９０５Ｌでは、相関演算部Ｃ１２は、ｎの値が０〜１２の相関値の中で最大の相関値とその最大の相関値のセグメント番号Ｌを相関蓄積部Ｄ１２に出力する。
【００６５】
次に、ステップＳ９０６Ｌでは、セグメント番号判定部Ｆ１２は、相関蓄積部Ｄ１２に蓄積されている相関値が相関閾値ＤＤ以上である場合には、ステップＳ９０７Ｌに進み、相関蓄積部Ｄ１２に蓄積されている相関値が相関閾値ＤＤ未満である場合には、ステップＳ９０８Ｌに進む。
【００６６】
ステップＳ９０７Ｌでは、セグメント番号判定部Ｆ１２は、位相差演算部Ｂ１２が入力したセグメントが相関蓄積部Ｄ１２に蓄積されているセグメント番号Ｌのセグメントであると判定し、「１」の判定結果及びセグメント番号Ｌをセグメント位置検出部８０１に出力する。その後、ステップＳ９０９に進む。
【００６７】
ステップＳ９０８Ｌでは、セグメント番号判定部Ｆ１２は、位相差演算部Ｂ１２が入力したセグメントのセグメント番号が不明であると判定して「０」の判定結果をセグメント位置検出部８０１に出力する。その後、ステップＳ９０９に進む。
【００６８】
また、ステップＳ９０２Ｍでは、位相差演算部Ｂ１３は、高速フーリエ変換部１０５の出力信号のうちの低周波数側から１３番目のセグメント（図４（Ａ）の１２番のセグメント位置のセグメント）を入力（抽出）する。
【００６９】
次に、ステップＳ９０３Ｍでは、位相差演算部Ｂ１３は、入力セグメント内のキャリアの各々について、今回（ｎ番目）のシンボルの信号点の前回（ｎ−１番目）のシンボルの信号点に対する位相差をキャリア毎に演算する。
【００７０】
次に、ステップＳ９０４Ｍでは、相関演算部Ｃ１３は、位相差演算部Ｂ１３の出力信号とｎ番（ｎの初期値は０）のセグメントのパイロット信号配列情報ＢＢ２との相関値を演算する。その後、相関演算部Ｃ１３は、ｎの値をインクリメントし、ステップＳ９０４Ｍの処理を繰り返し、ｎの値が０〜１２の処理が終わると、ステップＳ９０５Ｍに進む。
【００７１】
ステップＳ９０５Ｍでは、相関演算部Ｃ１３は、ｎの値が０〜１２の相関値の中で最大の相関値とその最大の相関値のセグメント番号Ｍを相関蓄積部Ｄ１３に出力する。
【００７２】
次に、ステップＳ９０６Ｍでは、セグメント番号判定部Ｆ１３は、相関蓄積部Ｄ１３に蓄積されている相関値が相関閾値ＤＤ以上である場合には、ステップＳ９０７Ｍに進み、相関蓄積部Ｄ１３に蓄積されている相関値が相関閾値ＤＤ未満である場合には、ステップＳ９０８Ｍに進む。
【００７３】
ステップＳ９０７Ｍでは、セグメント番号判定部Ｆ１３は、位相差演算部Ｂ１３が入力したセグメントが相関蓄積部Ｄ１３に蓄積されているセグメント番号Ｍのセグメントであると判定し、「１」の判定結果及びセグメント番号Ｍをセグメント位置検出部８０１に出力する。その後、ステップＳ９０９に進む。
【００７４】
ステップＳ９０８Ｍでは、セグメント番号判定部Ｆ１３は、位相差演算部Ｂ１３が入力したセグメントのセグメント番号が不明であると判定して「０」の判定結果をセグメント位置検出部８０１に出力する。その後、ステップＳ９０９に進む。
【００７５】
ステップＳ９０９では、セグメント位置検出部８０１は、セグメント番号判定部Ｆ１〜Ｆ１３の出力信号を基に、セグメントの構成を検出し、出力セグメント指示信号Ａ１及び／又は周波数シフト指示信号Ａ２を出力する。例えば、セグメント位置検出部８０１は、図４（Ｃ）の０番の１セグメント配列と、図４（Ｂ）の１番、０番、２番の３セグメント配列と、１１番、９番、７番、５番、３番、１番、０番、２番、４番、６番、８番、１０番、１２番の１３セグメント配列の位置を検出することができる。
【００７６】
例えば、図４（Ａ）のように、低周波数側から１１番，９番，７番，５番，３番，１番，０番，２番，４番，６番，８番，１０番，１２番の１３セグメント配列になっている場合には、そのままフルセグ受信が可能のため、セグメント位置検出部８０１は、フルセグ受信をさせるため、出力セグメント指示信号Ａ１及び周波数シフト指示信号Ａ２を変更しない。
【００７７】
また、すべてのセグメント番号又は多数のセグメント番号が０番の場合、１セグ放送が多数配置されている放送のため、セグメント位置検出部８０１は、必要な１セグ放送のみ受信させるための出力セグメント指示信号Ａ１を出力したり、複数の１セグ放送を同時に復調して多チャンネルを同時に受信させるための出力セグメント指示信号Ａ１を出力することができる。
【００７８】
同様に、図４（Ｂ）のように、１番，０番，２番の３セグメント配列の場合は、３セグメント放送として受信させるための出力セグメント指示信号Ａ１を出力することができる。以上のように、セグメント位置検出部１１１は、高速フーリエ変換部１０５が出力するセグメント配列を検出することができるので、用途に合わせた自動受信が可能になる。
【００７９】
また、低周波数側から７番，５番，３番，１番，０番，２番，４番，６番，８番，１０番，１２番，０番，０番のセグメント配列の場合、図４（Ａ）の１３セグメント配列の一部が欠けている状態であるので、セグメント位置検出部１１１は、周波数シフト指示信号Ａ２により、周波数をずらして受信させることで、図４（Ａ）の１３セグメント放送を受信可能にすることができる。この例の場合、セグメント位置検出部１１１は、高周波数側に２セグメント分ずらして、１３セグメント放送を受信することができる。また、高周波数側の２セグメント分が０番の１セグメント配列の２番組であるので、セグメント位置検出部１１１は、これらの中の１セグメントを受信するための出力セグメント指示信号Ａ１を出力することができる。
【００８０】
図４（Ｄ）の場合、１３セグメント配列の一部が欠けているので、セグメント位置検出部１１１は、周波数シフト指示信号Ａ２により、周波数をずらして受信させ、１３セグメント配列を受信可能にすることができる。また、低周波数側に１セグメントが２番組分配置がされているので、セグメント位置検出部１１１は、出力セグメント指示信号Ａ１により、このうちの所望の１セグメントのみを受信することができる。
【００８１】
以上のように、第１及び第２の実施形態によれば、位相差演算部Ｂ１〜Ｂ１３は、高速フーリエ変換部１０５の出力信号内の今回（ｎ番目）のシンボルの信号点の前回（ｎ−１番目）のシンボルの信号点に対する位相差をキャリア毎に演算する。セグメント位置検出部７０１又は８０１は、位相差演算部Ｂ１〜Ｂ１３により演算された位相差を基に、パイロット信号ＡＣ及びＴＭＣＣのキャリアを特定し、複数キャリアを有するセグメントの位置を検出する。
【００８２】
具体的には、位相差演算部Ｂ１〜Ｂ１３は、相互に異なるセグメント帯域の信号毎に位相差を演算する。セグメント位置検出部７０１又は８０１は、セグメント帯域毎に、パイロット信号ＡＣ及びＴＭＣＣのキャリアを特定し、セグメントの位置を検出する。
【００８３】
第１の実施形態（図７）では、相関演算部Ｃ１〜Ｃ７は、位相差演算部Ｂ１〜Ｂ１３により演算された位相差を基に、パイロット信号ＡＣ及びＴＭＣＣのキャリアを特定し、セグメント帯域毎に、特定セグメント（例えばセグメント番号が０）のパイロット信号ＡＣ及びＴＭＣＣのキャリアとの相関値を演算する。セグメント位置検出部７０１は、相関演算部Ｃ１〜Ｃ１３の演算結果に応じて、特定セグメントの位置を検出する。
【００８４】
第２の実施形態（図８）では、相関演算部Ｃ１〜Ｃ７は、位相差演算部Ｂ１〜Ｂ１３により演算された位相差を基に、パイロット信号ＡＣ及びＴＭＣＣのキャリアを特定し、セグメント帯域毎に、複数のセグメントのパイロット信号ＡＣ及びＴＭＣＣのキャリアとの相関値を演算する。セグメント番号判定部Ｆ１〜Ｆ１３は、相関演算部Ｃ１〜Ｃ１３の演算結果に応じて、セグメント帯域毎に、セグメント番号を判定する。
【００８５】
高速フーリエ変換部１０５は、セグメント位置検出部７０１又は８０１により検出されたセグメントの位置の信号Ａ１に応じて、出力範囲を変更する。チューナ１０２は、セグメント位置検出部７０１又は８０１により検出されたセグメントの位置の信号Ａ２に応じて、出力する周波数範囲をシフトする。
【００８６】
第１及び第２の実施形態によれば、受信信号内のセグメントの位置を検出することができるので、所望のセグメントの信号を取得することができる。また、短時間で簡易にセグメント構成を検出し、適切なセグメント配列を受信することができる。
【００８７】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【符号の説明】
【００８８】
１０１  アンテナ
１０２  チューナ
１０３  アナログ／デジタル変換部
１０４  直交復調部
１０５  高速フーリエ変換（ＦＦＴ）部
１０６  伝送路推定部
１０７  伝送路等化部
１０８  デマップ部
１０９  デインターリーブ部
１１０  誤り訂正部
１１１  セグメント位置検出部
７０１，８０１  セグメント位置検出部
Ｂ１〜Ｂ１３  位相差演算部
Ｃ１〜Ｃ１３  相関演算部
Ｄ１〜Ｄ１３  相関蓄積部
Ｅ１〜Ｅ１３  相関位置判定部
Ｆ１〜Ｆ１３  セグメント番号判定部
【図１】
2015185934.tif 000003
【図２】
2015185934.tif 000004
【図３】
2015185934.tif 000005
【図４】
2015185934.tif 000006
【図５】
2015185934.tif 000007
【図６】
2015185934.tif 000008
【図７】
2015185934.tif 000009
【図８】
2015185934.tif 000010
【図９】
2015185934.tif 000011